(57)【要約】【課題】被電解水を、供給口から導入部を介して電極板の下端側に導いて、電極板の表面全面に沿って上方へ流動させつつ電解する電解槽において、被電解水の電極板の表面全面での流動を均一にして電解効率を向上させる。【解決手段】導入部１０ｃ１を、槽本体の横方向に延びて被電解水の供給口部に連通する第１流通路１５ａ、第１流通路１５ａの下方にて並列して延び各電極板２２の下端の下方部に位置して各電解室に連通する第２流通路１５ｂ、両流通路１５ａ，１５ｂを連結する第３流通路１５ｃにて構成し、第２流通路１５ｂには長手方向に延びる絞り部を設けた。当該絞り部にて、被電解水の流れの偏り、乱れ、淀みを是正して、電極板２２の表面全面に沿う被電解水の流れを均一な流動として電解効率を向上させた。【選択図】　図５
2004122026.tif 000002
【特許請求の範囲】
【請求項１】
槽本体と、同槽本体内に所定の間隔を保持して互いに対向して収容されている一対の電極板と、前記槽本体に形成され供給される被電解水を前記各電極板の下端部に導入する導入部を備え、同導入部は、前記槽本体の横方向に延びて被電解水の供給口に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記導入部を経て前記電解室に導入して前記各電極板の互いに対向する対向面に沿って流動させる電解槽であり、前記第２の流通路の通路形成面に、同流通路側に突出して前記槽本体の横方向に延びる突起部を備えていることを特徴とする電解槽。
【請求項２】
請求項１に記載の電解槽において、前記第２の流通路が有する突起部は、突出断面が同一の突起部であることを特徴とする電解槽。
【請求項３】
請求項１に記載の電解槽において、前記第２の流通路が有する突起部は、突出断面を異にする複数の突出部位が同第２の流通路の長さ方向に交互に位置する起伏状の突起部であることを特徴とする電解槽。
【請求項４】
槽本体と、同槽本体内にて互いに対向して所定の間隔を保持して収容されている一対の電極板と、前記槽本体に形成され供給される被電解水を前記各電極板の下端部に導入する導入部を備え、同導入部は、前記槽本体の横方向に延びて被電解水の供給口に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する複数の第３の流通路にて構成されていて、被電解水を前記導入部を経て前記電解室に導入して前記各電極板の互いに対向する対向面に沿って流動させる電解槽であり、前記第３の流通路の通路形成面に前記槽本体の横方向に延びる突起部を備えていることを特徴とする電解槽。
【請求項５】
槽本体と、同槽本体内にて互いに対向して所定の間隔を保持して収容されている一対の電極板と、前記槽本体に形成され供給される被電解水を前記各電極板の下端部に導入する導入部を備え、同導入部は、前記槽本体の横方向に延びて被電解水の供給口に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記導入部を経て前記電解室に導入して前記各電極板の互いに対向する対向面に沿って流動させる電解槽であり、前記第３の流通路は前記第１の流通路に連結する２本を備えて、前記第２の流通路の横方向の各端部に連結していることを特徴とする電解槽。
【発明の詳細な説明】
【０００１】
【発明の属する技術分野】
本発明は、電解水生成装置の主要部を構成する電解槽に関する。
【０００２】
【従来の技術】
電解水生成装置の主要部を構成する電解槽の一形式として、槽本体と、同槽本体内に所定の間隔を保持して互いに対向して収容されている一対の電極板と、前記槽本体に形成され供給される被電解水を前記各電極板の下端部に導入する導入部を備える形式の電解槽がある。当該形式の電解槽においては、電解効率を向上させるためには、電解室に導入された被電解水を各電極板に沿って均一に流動させることが重要であり、従来の電解槽では、前記導入部を、槽本体の横方向に延びて被電解水の供給口に連通する第１の流通路と、槽本体の横方向に延びて各電極板の下端の下方部に位置して両電極板間の電解室に連通する第２の流通路と、槽本体の縦方向に延びて第１の流通路と第２の流通路を連結する第３の流通路からなる構成として、第３の流通路として互いに縦方向に並列する複数の流通路を採用しており、第１の流通路と各第３の流通路の連結部位に段差を設ける構成が採られる場合もある（例えば特許文献１を参照）。
【０００３】
しかして、上記した特許文献１に記載の電解槽で採用している被電解水の導入部は、その構成上、供給される被電解水を第２の流通路に対して槽本体の横方向（換言すれば第２の流通路の長さ方向）に複数に分配して第２の流通路に導入すべく機能するものである。これにより、供給された被電解水が有する慣性力が緩和されて、被電解水の慣性力に起因する第２の流通路での偏り、乱れ、淀み等の発生を抑制して、第２の流通路から電解室へ導入される被電解水が電極板の幅方向に均一に導入されるように意図しているものである。
【０００４】
【特許文献１】
特開平７−１８５５４８号公報
【０００５】
【発明が解決しようとする課題】
ところで、上記した特許文献１に記載の電解槽にて採用している導入部は、その構造上、互いに連結される流通路間に断面積が大きく相違する場合や、流通路の行止まり部位が存在する場合、または、流通路の傾斜状態、流通路の連結部位での流れの指向方向によってはガス溜まりが発生したり、被電解水の流れに偏り、乱れ、淀み等が発生し易い。これらの現象の発生は、電解室に導入される被電解水の各電極板に沿った均一な流れを阻害することになる。
【０００６】
従って、本発明の目的は、当該形式の電解槽における被電解水の導入部を改良して、導入部でのガス溜まりや、被電解水の流れの偏り、乱れ、淀み等の発生を防止し、電解室に導入される被電解水を各電極板に沿って均一に流動させることによって、電解槽における電解効率を一層向上させることにある。
【０００７】
【課題を解決するための手段】
本発明は電解槽に関するもので、槽本体と、同槽本体内に所定の間隔を保持して互いに対向して収容されている一対の電極板と、前記槽本体に形成され供給される被電解水を前記各電極板の下端部に導入する導入部を備えた形式の電解槽を適用対象とするものである。
【０００８】
しかして、本発明に係る第１の電解槽においては、前記導入部は、前記槽本体の横方向に延びて被電解水の供給口に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記導入部を経て前記電解室に導入して前記各電極板の互いに対向する対向面に沿って流動させるものであって、前記第２の流通路の通路形成面に、同流通路側に突出して前記槽本体の横方向に延びる突起部を備えていることを特徴とするものである。
【０００９】
本発明に係る第１の電解槽においては、前記第２の流通路が有する突起部を、突出断面が同一の突起部とすること、突出断面を異にする複数の突出部位が同第２の流通路の長さ方向に交互に位置する起伏状の突起部とすることができる。
【００１０】
また、本発明に係る第２の電解槽においては、前記導入部は、前記槽本体の横方向に延びて被電解水の供給口に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する複数の第３の流通路にて構成されていて、被電解水を前記導入部を経て前記電解室に導入して前記各電極板の互いに対向する対向面に沿って流動させるものであって、前記第３の流通路の通路形成面に、同流通路側に突出して前記槽本体の横方向に延びる突起部を備えていることを特徴とするものである。
【００１１】
また、本発明に係る第３の電解槽においては、前記導入部は、前記槽本体の横方向に延びて被電解水の供給口部に連通する第１の流通路と、前記槽本体の横方向に延びて前記各電極板の下端の下方部に位置して前記両電極板間の電解室に連通する第２の流通路と、前記槽本体の縦方向に延びて前記第１の流通路と前記第２の流通路を連結する第３の流通路にて構成されていて、被電解水を前記導入部を経て前記電解室に導入して前記各電極板の互いに対向する対向面に沿って流動させるものであって、前記第３の流通路は前記第１の流通路に連結する２本であって、前記第２の流通路の横方向の各端部に連結していることを特徴とするものである。
【００１２】
【発明の作用・効果】
本発明に係る電解槽においては、第１の電解槽にあっては、第２の流通路の通路形成面における突起部の形成部位が絞り部として機能し、また、第２の電解槽にあっては、各第３の流通路の通路形成面における突起部の形成部位が絞り部として機能する。これらの絞り部は、その上流側では、導入された被電解水の流れの速さを規制すべく作用して被電解水の流れの乱れを是正し、かつ、その下流側では、流れの乱れを是正された被電解水を円滑に導入すべく作用する。この結果、被電解水が第２の流通路から電解室に流動する際の被電解水には、各電極板の幅方向における流れの偏り、乱れ、淀み等が皆無またはほとんど無くなる。このため、被電解水は、電解室では、各電極板に沿って均一に流動し、電解効率を向上させることになる。
【００１３】
また、第３の電解槽にあっては、第１の流通路に連結している各第３の流通路が第２の流通路の横方向の各端部に連結している構成となっている。このため、被電解水は、第２の流通路に対してはその各端部から導入され、第２の流通路では流れの乱れが是正されて、各電極板の横方向における流れの偏り、乱れ、淀み等が皆無またはほとんど無くなる。このため、被電解水は、電解室では、各電極板に沿って均一に流動し、電解効率を向上させることになる。
【００１４】
【発明の実施の形態】
本発明は、電解水生成装置を構成する電解槽に関するもので、図１には本発明が適用対象とする形式の電解槽を示しており、図２は、当該電解槽を分解した状態の各構成部材を示している。当該電解槽は有隔膜電解槽であって、槽本体を形成する一対のセル１０ａ，１０ｂ、隔膜２１、一対の電極板２２、一対のスペーサ２３を主要構成部材としている。
【００１５】
両セル１０ａ，１０ｂは、左右対称の形状および構造を有する絶縁性の合成樹脂製のもので、それらの内側面に各電極板２２および各スペーサ２３を配置し、隔膜２１を介在させた状態で互いに重合して結合されている。これにより、両セル１０ａ，１０ｂは、隔膜２１、各電極板２２、および各スペーサ２３を収容し、電解室Ｒ１，Ｒ２を有する槽本体を構成している。
【００１６】
各電極板２２は、その一側面の略中央に設けたナット２２ａに、電極端子２２ｂを螺着することにより、各セル１０ａ、１０ｂの内側面に密着した状態に取付けられている。各スペーサ２３は、絶縁性合成樹脂製の格子状のものであって、図３に示すように、多数本の縦枠部２３ａと、各縦枠部２３ａの上下各端部に固定された一対の横枠部２３ｂにて構成されている。各スペーサ２３は、その上下の横枠部２３ｂを各セル１０ａ，１０ｂの内側面に設けた凹所にはめ込んだ状態で、各電極板２２と隔膜２１間に介在している。
【００１７】
各スペーサ２３は、各電極板２２と隔膜２１間に被電解水の流通路を形成するとともに、各電極板２２と隔膜２１との接触を防止している。これにより、槽本体内には、隔膜２１を挟んで両側に一対の電解室Ｒ１，Ｒ２が形成されている。
【００１８】
各セル１０ａ，１０ｂにおいては、被電解水を槽本体内の空間部（各電解室Ｒ１，Ｒ２）に供給するための供給口１１を下方側部に備え、かつ、電解生成水を槽本体内の各電解室Ｒ１，Ｒ２から外部へ流出するための流出口１２を上方側部に備えている。また、各セル１０ａ，１０ｂの内側面には、図３および図４に示すように、供給口１１から供給される被電解水を槽本体内の各電解室Ｒ１，Ｒ２における各電極板２２の下端側に導く導入部１０ｃを備えている。
【００１９】
導入部１０ｃは、各セル１０ａ，１０ｂの内壁面に形成されて幅方向に延びる横溝にて構成された第１流通路１３ａと、各セル１０ａ，１０ｂの内壁面にて第１流通路１３ａより下方に形成されて幅方向に延びる横溝にて構成された第２流通路１３ｂと、各セル１０ａ，１０ｂの内壁面にて第１流通路１３ａと第２流通路１３ｂ間に形成されて高さ方向に延びる縦溝にて構成された一対の第３流通路１４ａ，１４ｂからなるもので、各電極板２２の裏面側に位置している。
【００２０】
導入部１０ｃを構成する第１流通路１３ａは、槽本体の横方向に延びて被電解水の供給口１１に連通する第１の流通路に該当し、第２流通路１３ｂは、槽本体の横方向に延びて各電極板２２の下端の下方部に位置して両電極板２２間の電解室Ｒ１，Ｒ２に連通する第２の流通路に該当し、かつ、第３流通路１４ａ，１４ｂは、槽本体の縦方向に延びて第１の流通路と第２の流通路を連結する第３の流通路に該当する。
【００２１】
導入部１０ｃにおいては、第１流通路１３ａの左右の略中央部に供給口１１が開口し、かつ、第２流通路１３ｂには各電極板２２と各スペーサ２３の下端部が臨んでいる。これにより、導入部１０ｃは、供給口１１から流入する被電解水を、供給口１１の出口で第１流通路１３ａの左右の方向に分配して、左右の分岐路を形成する各第３流通路１４ａ，１４ｂを通して第２流通路１３ｂに導く。すなわち、当該導入通路１０ｃは、供給口１１から槽本体内に供給される被電解水を各電極板２２の下端側に導入し、さらに各電解室Ｒ１，Ｒ２に導入する。
【００２２】
当該電解槽にあっては、各電極板２２の下端側に導入された被電解水は、各電極板２２の下端部にて反転して各電解室Ｒ１，Ｒ２に流入し、各電極板２２の表面全面に沿って上端側へ流動し、この間、被電解水は各電解室Ｒ１，Ｒ２にて電解を受けて電解生成水（電解生成酸性水および電解生成アルカリ性水）となり、各電解生成水は各流出口１２から外部へ流出する。
【００２３】
このように、当該電解槽においては、被電解水を槽本体の側部に設けた供給口１１から槽本体内の空間部である各電解室Ｒ１，Ｒ２の下方部に導入する導入部１０ｃを備えていて、供給口１１から槽本体内に供給される被電解水を供給口１１の出口で第１流通路１３ａの左右に分配して、第３流通路１４ａ，１４ｂおよび第２流通路１３ｂを通して各電極板２２の下端側の幅全体に導入するようにしている。これにより、当該電解槽においては、電解運転時、被電解水を各電極板２２の表面全面に沿って下端側から上端側へ流動させつつ電解することができて、電解効率を相当程度向上させることができる。
【００２４】
しかしながら、当該電解槽にあっては、被電解水の導入部１０ｃは、第１流通路１３ａの左右の端部が行き止まり部位１３ａ１，１３ａ２になっているとともに、各第３流通路１４ａ，１４ｂと第１，第２流通路１３ａ，１３ｂとの連結部が直交する角状屈折部位になっている。このため、これらの行き止まり部位１３ａ１，１３ａ２や角状屈折部位等では、被電解水の流れに偏り、乱れ、淀み等を生じさせることになり、被電解水の各電極板２２の表面全面に沿う均一な流動が阻害されて、電解効率の著しい向上は期待し得ない。
【００２５】
本発明は、被電解水の導入部１０ｃを改良して、電解槽の電解効率を一層向上すべく意図しているものである。本発明の第１の実施形態に係る電解槽では、被電解水の導入部（第１導入部１０ｃ１）を図５および図６に示す構成としている。図５は、第１導入部１０ｃ１のみを示す正面図であり、図６は、当該電解槽における図５の矢印６−６線に沿う縦断側面図である。
【００２６】
第１導入部１０ｃ１は、供給口１１を挟んで左右に延びる第１流通路１５ａと、第１流通路１５ａの下方にて並列する第２流通路１５ｂと、これら両流通路１５ａ，１５ｂを連結する４条の第３流通路１５ｃにて構成されている。第１流通路１５ａと各第３連通路１５ｃの連結部は、逆Ｌ字状またＴ字状に円滑に屈曲する屈曲形状に形成されている。第１流通路１５ａの中央部には供給口１１が開口している。また、第２流通路１５ｂを構成する通路形成面には、畝状の突起部１５ｄが形成されている。突起部１５ｄは、通路形成面であるセル１０ａ１，１０ｂ１の縦壁面に形成されていて、第２流通路１５ｂ側に畝状に突出した状態で、第２流通路１５ｂに並列してその左右方向に延びている。
【００２７】
本発明の第１の実施形態に係る電解槽においては、被電解水の第１導入部１０ｃ１における被電解水の供給口１１から槽本体内の各電解室Ｒ１，Ｒ２の下方部までの間が、円滑な屈曲形状に形成されているとともに行き止まり部位を備えていない。このため、第１流通路１５ａの中央部で左右に分配された被電解水は、円滑な屈曲形状の第１流通路１５ａ、各第３流通路１５ｃおよび第２流通路１５ｂに導かれて槽本体内の各電解室Ｒ１，Ｒ２の下方部に至り、この間、これらの途中での被電解水の流れにおける偏り、乱れ、淀み等の発生を抑制する。
【００２８】
当該実施形態では、特に、第２流通路１５ｂに設けらている畝状の突起部１５ｄの形成部位が絞り部として機能する。当該絞り部は、その上流側では、導入された被電解水の流れの速さを規制すべく作用して被電解水の流れの乱れを是正し、かつ、その下流側では、流れの乱れを是正された被電解水を各電解室Ｒ１，Ｒ２の下方部へ円滑に導入すべく作用する。この結果、被電解水が第２流通路１５ｂから各電解室Ｒ１，Ｒ２に流動する際の被電解水には、各電極板２２の幅方向における流れの偏り。乱れ、淀み等が皆無またはほとんど無く、被電解水は、各電解室Ｒ１，Ｒ２では、各電極板２２に沿って均一に流動するため、当該電解槽での電解効率を一層向上させる。
【００２９】
本発明の第２の実施形態に係る電解槽では、被電解水の導入部（第２導入部１０ｃ２）を図７および図８に示す構成としている。図７は図５に対応するもので、セル１０ａ２，１０ｂ２の内壁面に形成された第２導入部１０ｃ２のみの正面図であり、図８は図６に対応するもので、当該槽本体における図７の矢印７−７線に沿う縦断側面図である。
【００３０】
第２導入部１０ｃ２は、供給口１１を挟んで左右に延びる第１流通路１６ａと、第１流通路１６ａの下方にて並列する第２流通路１６ｂと、これら両流通路１６ａ，１６ｂを連結する４条の第３流通路１６ｃにて構成されている。第１流通路１６ａと各第３連通路１６ｃの連結部は、逆Ｌ字状またはＴ字状に円滑に屈曲する屈曲形状に形成されている。第１流通路１６ａの中央部には供給口１１が開口している。
【００３１】
第２導入部１０ｃ２は、かかる構成に関する限りにおいては、第１の実施形態における第１導入部１０ｃ１と同一の構成であるが、第２流通路１６ｂを構成する通路形成面に形成されている畝状の突起部１６ｄの形状を、導入部１０ｃ１における断面が同一形状の畝状の突起部１５ｄとは異にしている。すなわち、突起部１６ｄは、図７および図９に示すように、第２流通路１６ｂの上下方向に大きくて突出量の大きい大突起部位１６ｄ１と、第２流通路１６ｂの上下方向に小さくて突出量の小さい小突起部位１６ｄ２とが、第２流通路１６ｂの幅方向（左右方向）に交互に位置する起伏形状のものである。
【００３２】
本発明の第２の実施形態に係る電解槽においては、被電解水の第２導入部１０ｃ２における被電解水の供給口１１から槽本体内の各電解室Ｒ１，Ｒ２の下方部までの間が、円滑な屈曲形状に形成されているとともに行き止まり部位を備えていない。このため、第１流通路１６ａの中央部で左右に分配された被電解水は、円滑な屈曲形状の第１流通路１６ａ、各第３流通路１６ｃおよび第３流通路１６ｂに導かれて槽本体内の各電解室Ｒ１，Ｒ２の下方部に至り、この間、これらの途中での被電解水の流れにおける偏り、乱れ、淀み等の発生が抑制される。
【００３３】
当該実施形態では、特に、第２流通路１６ｂに設けらている畝状の突起部１６ｄの形成部位が、第２流通路１６ｂの長さ方向で異なる絞り作用を有する絞り部として機能する。当該絞り部は、その上流側では、導入された被電解水の流れの速さを規制すべく作用して被電解水の流れの乱れを是正するとともに被電解水分岐路を下流側へ拡散し、かつ、その下流側では、流れの乱れを是正されかつ拡散された被電解水を各電解室Ｒ１，Ｒ２の下方部へ円滑に導入すべく作用する。この結果、被電解水が第２流通路１６ｂから各電解室Ｒ１，Ｒ２に流動する際の被電解水には、各電極板２２の幅方向における流れの偏り、乱れ、淀み等が皆無またはほとんど無く、被電解水は、各電解室Ｒ１，Ｒ２では、各電極板２２に沿って均一に流動し、電解効率を一層向上させる。
【００３４】
本発明の第３の実施形態に係る電解槽では、被電解水の導入部（第３導入部１０ｃ３）を図１０および図１１に示す構成としている。図１０は図５に対応するもので、槽本体を構成するセル１０ａ３，１０ｂ３の内壁面の正面図であり、図１１は図６に対応するもので、当該槽本体における図１０の矢印１１−１１線に沿う縦断側面図である。導入部１０ｃ３は、供給口１１を挟んで左右に延びる第１流通路１７ａと、第１流通路１７ａの下方にて並列する第２流通路１７ｂと、これら両流通路１７ａ，１７ｂを連結する４条の第３流通路１７ｃ（１７ｃ１〜１７ｃ４）にて構成されている。第１流通路１７ａの中央部には供給口１１が開口している。第３導入部１０ｃ３は、各蓋体１１ａ，１１ｂにて覆蓋されている。
【００３５】
第３導入部１０ｃ３を構成する第３流通路１７ｃにおいては、左右の外側同士の両流通路１７ｃ１，１７ｃ４は左右対称に形成され、かつ、左右の内側同士の両流通路１７ｃ２，１７ｃ３は左右対称に形成されている。両流通路１７ｃ１，１７ｃ４では、通路形成面における上側の内外両側隅部および下側の内側隅部が大きな円弧状の円滑に屈曲する屈曲形状に形成されている。また、両流通路１７ｃ２，１７ｃ３では、通路形成面における上側の内側隅部および下側の内側隅部が大きな円弧状の円滑に屈曲する屈曲形状に形成されている。
【００３６】
また、これら各流通路１７ｃ１〜１７ｃ４には、その通路形成面である起立壁部にそれぞれ突起部１７ｄが形成されている。各突起部１７ｄは、断面台形状の同一形状のもので、各流通路１７ｃ１〜１７ｃ４側に突出した状態で、流通路１７ｃ１〜１７ｃ４の幅全体に延びている。
【００３７】
本発明の第３の実施形態に係る電解槽においては、第３導入部１０ｃ３における被電解水の供給口１１から槽本体内の各電解室Ｒ１，Ｒ２の下方部までの間が、円滑な屈曲形状に形成されているとともに行き止まり部位を備えていない。このため、第１流通路１７ａの中央部で左右に分配された被電解水は、円滑な屈曲形状の第１流通路１７ａ、各第３流通路１７ｃ（流通路１７ｃ１〜１７ｃ４）および第２流通路１７ｂに導かれて槽本体内の各電解室Ｒ１，Ｒ２の下方部に至り、この間、これらの途中での被電解水の流れにおける偏り、乱れ、淀み等の発生が抑制される。
【００３８】
当該実施形態では、特に、第３流通路１７ｃとして４条の流通路１７ｃ１〜１７ｃ４を採用しているため、供給口１１から流入する被電解水の第２流通路１７ｂの長さ方向全体への分配が同等になり易い。また、第３流通路１７ｃの各流通路１７ｃ１〜１７ｃ４においては、突起部１７ｄの形成部位が絞り部として機能する。当該絞り部は、その上流側では、導入された被電解水の流れの速さを規制すべく作用して被電解水の流れの乱れを是正し、かつ、その下流側では、流れの乱れを是正された被電解水を第２流通路へ円滑に導入すべく作用する。この結果、第２流通路１７ｂから各電解室Ｒ１，Ｒ２に流動する際の被電解水には、各電極板２２の幅方向における流れの偏り、乱れ、淀み等が皆無またはほとんど無く、被電解水は、各電解室Ｒ１，Ｒ２では、各電極板２２に沿って均一に流動し、電解効率を一層向上させることになる。
【００３９】
本発明の第４の実施形態に係る電解槽では、被電解水の導入部（第４導入部１０ｃ４）を図１２および図１３に示す構成としている。図１２は、セル１０ａ４，１０ｂ４に形成されている第４導入部１０ｃ４のみの正面図であり、図１３は図６に対応するもので、当該槽本体における図１２の矢印１３−１３線に沿う縦断側面図である。
【００４０】
第４導入部１０ｃ４は、供給口１１を挟んで左右に延びる第１流通路１８ａと、第１流通路１８ａの下方にて並列する第２流通路１８ｂと、これら両流通路１８ａ，１８ｂを連結する一対の第３流通路１８ｃにて構成されている。第１流通路１８ａと各第３連通路１８ｃの連結部は、逆Ｌ字状に円滑に屈曲する屈曲形状に形成されている。第１流通路１８ａの中央部には供給口１１が開口している。また、各第３流通路１８ｃは、第１流通路１８ａの左右の各端部から第２流通路１８ｂを迂回した状態で下方の延びて、第２流通路１８ｂにおける左右の各端部に連結している。
【００４１】
本発明の第４の実施形態に係る電解槽においては、第４導入部１０ｃ４における被電解水の供給口１１から槽本体内の各電解室Ｒ１，Ｒ２の下方部までの間が、円滑な屈曲形状に形成されているとともに行き止まり部位を備えていない。このため、第１流通路１８ａの中央部で左右に分配された被電解水は、円滑な屈曲形状の第１流通路１８ａ、各第３流通路１８ｃおよび第２流通路１８ｂに導かれて槽本体内の各電解室Ｒ１，Ｒ２の下方部に至り、この間、これらの途中での被電解水の流れにおける偏り、乱れ、淀み等の発生が抑制される。
【００４２】
当該実施形態では、特に、第１流通路１８ａに流入した被電解水を、両第３流通路１８ｃを介して第２流通路１８ｂの下端の左右両端部へ流入するように構成している。この流入態様では、被電解水が大きな溜まり部である第２流通路１８ｂの両端部から流入すること状態となる。このため、被電解水は、第２流通路１８ｂ内にて、流れの慣性が緩和されてその流れの乱れが一層抑制されるとともに、第２流通路１８ｂ内での淀みも解消される。この結果、被電解水が第２流通路１８ｂから各電解室Ｒ１，Ｒ２に流動する際の被電解水には、各電極板２２の幅方向における流れの偏り、乱れ、淀み等が皆無またはほとんど無く、被電解水は、各電解室Ｒ１，Ｒ２では、各電極板２２に沿って均一に流動し、電解効率を一層向上させる。
【図面の簡単な説明】
【図１】本発明が適用対象とする形式の電解槽の縦断面図である。
【図２】同電解槽を分解した状態の縦断側面図である。
【図３】同電解槽を分割した状態のセル内側からみた正面図である。
【図４】同セルの内面の正面図である。
【図５】本発明の第１の実施形態に係る電解槽が有する被電解水の導入部である第１導入部の正面図である。
【図６】同電解槽における図５の矢印６−６線に沿う部分縦断側面図である。
【図７】本発明の第２の実施形態に係る電解槽が有する被電解水の導入部である第２導入部の正面図である。
【図８】同電解槽における図７の矢印８−８線に沿う部分縦断側面図である。
【図９】同電解槽を構成するセルにおける図７の矢印９ａ−９ａ線に沿う部分断面図（ａ）、および矢印９ｂ−９ｂ線に沿う部分断面図（ａ）である。
【図１０】本発明の第３の実施形態に係る電解槽を構成するセルにおける内面の正面図である。
【図１１】同電解槽における図１０の矢印１１−１１線に沿う部分縦断側面図である。
【図１２】本発明の第４の実施形態に係る電解槽が有する被電解水の導入部である第４導入部の正面図である。
【図１３】同電解槽における図１２の矢印１３−１３線に沿う部分縦断側面図である。
【符号の説明】
１０ａ，１０ｂ…セル、１０ａ１，１０ｂ１…セル、１０ａ２，１０ｂ２…セル、１０ａ３，１０ｂ３…セル、１０ａ４，１０ｂ４…セル、１０ｃ，１０ｃ１，１０ｃ２，１０ｃ３，１０ｃ４…導入部、１１…供給口、１１ａ，１１ｂ…蓋体、１２…流出口、１３ａ…第１流通路、１３ａ１，１３ａ２…行き止まり部位、１３ｂ…第２流通路、１４ａ，１４ｂ…第３流通路、１５ａ，１６ａ，１７ａ，１８ａ…第１流通路、１５ｂ，１６ｂ，１７ｂ，１８ｂ…第２流通路、１５ｃ，１６ｃ，１７ｃ（１７ｃ１〜１７ｃ４），１８ｃ…第３流通路、１５ｄ，１６ｄ，１７ｄ，１８ｄ…突起部、１６ｄ１，１６ｄ２…突出部位、２１…隔膜、２２…電極板、２２ａ…ナット、２２ｂ…電極端子、２３…スペーサ、２３ａ…縦枠部、２３…横枠部。
【図１】
2004122026.tif 000003
【図２】
2004122026.tif 000004
【図３】
2004122026.tif 000005
【図４】
2004122026.tif 000006
【図５】
2004122026.tif 000007
【図６】
2004122026.tif 000008
【図７】
2004122026.tif 000009
【図８】
2004122026.tif 000010
【図９】
2004122026.tif 000011
【図１０】
2004122026.tif 000012
【図１１】
2004122026.tif 000013
【図１２】
2004122026.tif 000014
【図１３】
2004122026.tif 000015